(57)【要約】      （修正有）【課題】野球やソフトボールの練習者がバント技術を効率的に習得することを可能にするバント練習用具を提供する。【解決手段】棒部材１の先端部１ｂに１つの手袋２が該棒部材１を先側へ延長するような張出状に止着されている。使用時には、棒部材１のグリップ部分１ｃがバント練習者の一方の手で握持され、一方、手袋２はバント練習者の他方の手を挿入される。【選択図】図１
0003157421.tif 000002
【実用新案登録請求の範囲】
【請求項１】
一方の手で握持されるグリップ部分が基端部に形成された棒部材と、他方の手を装着するために、該棒部材の先端部に該棒部材の先側へ延長し、かつ該棒部材の表面に掌面が連続するように張出状に止着された手袋とを有することを特徴とするバント練習用具。
【請求項２】
前記該棒部材の先端部に、他方の手の手首を前記棒部材の先端部に固定する手首固定部材を有することを特徴とする請求項１記載のバント練習用具。
【考案の詳細な説明】
【技術分野】
【０００１】
本考案は野球又はソフトボールのバントの練習において使用されるバント練習用具に関する。
【背景技術】
【０００２】
打者が勘に頼ることなく正確にボールをバットの打心に当てる練習を行うことができる練習用具はすでに特許文献１に開示されている。
【０００３】
この練習用具はバットの打心付近に嵌着される取付体にボールが嵌入する通孔を形成したものである。
【０００４】
この練習用具を使用するときは、練習者はこの用具をバットに装着した後、このバットの基端部を一方の手で握持すると共に、同じバット上の打心よりも少し基端部側へ寄った箇所を他方の手で持ち、指導者がトスしたボールを取付体の通孔を通じてバットに当てるようにする。
【先行技術文献】
【特許文献】
【０００５】
【特許文献１】実開平５−４１５７３号公報
【考案の概要】
【考案が解決しようとする課題】
【０００６】
上記した特許文献１の練習用具においては、これを使用したバントの練習時に、練習者の左右の手は実際のバントのときとほぼ同様な状態でバットを持ち、指導者の投げたボールはバット上において左右の手よりも先側となる打撃範囲箇所に当てられる。したがって、練習者は指導者がトスしたボールの軌跡から横方へ比較的大きく離れた状態でバントを行うことになる。
【０００７】
このような練習では、練習者はバントしたときにボールがバットに当たる位置を正確に認識し難いため、バント技術を効率的に習得することができないのであり、また実際の試合でのバントにおいてピッチャーの投げたボールの軌跡から横方へ逃げ腰気味となるような練習者の癖を効率的に修正することができないのである。
【０００８】
本考案は上記のような問題点に鑑みて創案されたものであって、即ち、練習者がバント技術を効率的に習得することを可能とする、野球又はソフトボールの、バント練習用具及びバント練習方法を提供することを目的とする。
【課題を解決するための手段】
【０００９】
上記課題を解決するため、本考案に係るバント練習用具は、一方の手で握持されるグリップ部分が基端部に形成された棒部材と、他方の手を装着するために、該棒部材の先端部に該棒部材の先側へ延長し、かつ該棒部材の表面に掌面が連続するように張出状に止着された手袋とを有することを特徴とする。
【考案の効果】
【００１０】
本考案によれば次のような効果が得られる。
即ち、練習者は、一方の手で棒部材の基端部を握持し、他方の手を手袋内に挿入した状態で、指導者により投げられた飛行中のボールを、手袋内に挿入した方の手で手袋の掌被い部に掴み捕らえるようにするバント模擬行為を繰り返すのであり、この場合に、ボールを掴み捕らえるときの動作が必然的にバント時の動作に近似したものとなるため、無意識のうちにバント時の正しい動作が効率的に身につくようになるのであり、また練習者はボールを掴み捕らえるバント擬似行為を繰り返すことにより、効率的に、実際のバントにおけるバット上のボール打撃位置を正確に認識できるようになるのであり、またバント擬似行為時において手袋に挿入された手がボールの飛行軌跡に合致されるため、練習者の身体がボールの飛行軌跡に対して必然的に十分に近づくような練習が行われ、バント時においてボールに対し横方へ腰が引けるような逃げ腰姿勢となる癖が効率的に是正される。この結果、練習者はバント技術を効率的に習得することができ、実際のバントにおいてボールをバットの希望する任意位置で正確に打ち返すことができて意図どおりに転がせることができるようになる。
【００１１】
また指導者は練習中、練習者へ向けて投げるボールの飛行軌跡を種々の球種に対応するように及び種々の速度となるように変更し、一方で練習者はこのボールをバント擬似行為により手袋で掴み捕らえるようにすることにより、練習者は自身の身体の各部の動きを意識しないでも種々の球種や速度に対応した正しいバント動作をすることになり、このような練習を繰り返すことにより、実際の試合においてカーブ、シンカー又はストレートなどの各球種や種々の速度のボールに反射的に対応し的確なバントが行えるようになるのである。
【図面の簡単な説明】
【００１２】
【図１】本考案に係る野球又はソフトボールのバント練習用具を示す斜視図である。
【図２】上記バント練習用具の一部を示す斜視図である。
【図３】上記バント練習用具の使用状態を示す説明図である。
【図４】上記バント練習用具の他の使用状態を示す説明図である。
【考案を実施するための形態】
【００１３】
以下、図面を参照して本考案に係るバント練習用具などの実施例について説明する。
【実施例１】
【００１４】
図１に示すように、本実施例のバント練習用具Ｔは棒部材１と、手袋２を備えている。
棒部材１の全長は、４５ｃｍ〜５５ｃｍの範囲内である。棒部材１の基端部は、バットのグリップ部を模した形状のグリップ部分１ｃが形成されている。棒部材１は、野球又はソフトボール用のバットの打心を含む先側部分を除去したものを利用することができる。棒部材１の先側の端面部１ａはバント練習用具Ｔを使用する練習者の使い心地を良好にするため、滑らかな突状の円弧面（例えば部分球面など）となっている。
【００１５】
一方の手が挿入される手袋２が、棒部材１の先端部に棒部材１を先側へ延長するよう、かつ該棒部材の表面に掌面が連続するように張出状に止着されている。本実施例では、バント練習用具Ｔを使用する練習者が右利きである場合を想定して、手袋２は右手用のものが止着されている。そして、手袋２の配置はその指被い部２ａの先側が棒部材１の長さ方向上で棒部材１から離れる側へ張り出すように設定されている。また、棒部材１を手袋２に挿入して固定することにより、手袋２の掌面が棒部材１の表面の延長上に位置することを可能にしている（手袋２の厚さは無視する）。
【００１６】
この手袋２は外面に当接したボールの感覚が該手袋２に挿入した手に伝達され易いような軟らかくて薄い生地からなるものがよいのであり、また該手袋の指被い部２ａの動作を妨げず全体が吸湿性及び通気性を有するものが好ましい。本実施例ではこのような条件を充足する手袋２として、軍手が使用されている。この他の例としては、薄手の革手袋等が利用できる。
【００１７】
手袋２は、手首被い部２ｂの甲被い部２ｃ側が欠落しており手挿入口２ｅが形成されている。そして図２にも示すように、手首被い部２ｂの掌被い部２ｄ側が棒部材１の先端部１ｂの外周面の概略、半分範囲を被うように止具３を介して止着されている。このように止着されることにより手袋２の手挿入口２ｅは棒部材１の先端部の形態の影響を受けて開放される傾向となって、手の挿入抜出が容易に行えるようになる。手袋２の掌被い部２ｄの外面には多数の小さなゴム体４が散点状に止着されており、これにより手袋２は掌被い部２ｄ及び指被い部２ａでボールを掴む処理がボールとの間での滑りが生じ難い状態の下で確実に行えるようになっている。
【００１８】
棒部材１のグリップ部分１ｃから手袋２の掌被い部２ｄまでの距離は、練習者に対応したバットの基端部から該バットの打心までの長さに等しいか或いは該長さにほぼ合致するように対応させてある。なお、バットの打心は一般にバットの先端からグリップ部側へ概略１５ｃｍ程度寄った位置にある。
【００１９】
手袋２の手首被い部２ｂの甲被い部２ｃ側には、手袋２に手が挿入されたときの手首を棒部材１の先端部１ｂに位置決めするため手首固定部材５として帯体５Ａ、５Ｂが設けられている。練習者が、手袋２を装着して、帯体５Ａ、５Ｂにより手首を固定して手首の動きを拘束することにより、手袋２の掌面は、棒部材１の表面延長上に位置するようになる。
【００２０】
１つの帯体５Ａは手袋２の手首被い部２ｂの掌被い部２ｄ側の外面の棒部材１周方向の一側に一端を止着されて同じ側へ張り出され撓曲可能な状態とされおり、また他の１つの帯体５Ｂは手袋２の手首被い部２ｂの掌被い部２ｄ側の外面の棒部材１周方向の他側に一端を止着されて同じ側へ張り出され撓曲可能な状態とされている。そして、２つの帯体５Ａ、５Ｂの対向面にはこれらの双方を結合させるための雌雄のファスナー６ａ、６ｂが止着されている。なお、これら帯体５Ａ、５Ｂに代えて、一対の紐を用いることも可能である。帯体５Ａ、５Ｂは、練習者の手首を棒部材１に固定するためであり、この固定を行わないと、手袋１が柔軟であるために、手首を使ってボールを取りに行くことになり、棒部材１の表面延長上の面から離れてボールを掴んでしまうことになるからである。
【００２１】
以下にこの練習用具Ｔを利用して、野球又はソフトボールの指導者が練習者にバントを練習させるさいの使用例について説明する。
【００２２】
先ず、練習者にバント練習用具Ｔを持たせ、指導者が手元に複数のボールを用意する。そして練習者はバント練習用具Ｔを使用可能な状態に保持するのであり、具体的には、右手を手袋である手袋２内の通常使用位置まで挿入し、他方の手で帯体５Ａ、５Ｂを手首に巻き付け、手首の内側部が棒部材１の先端部１ｂの後部に当接し或いは近接した状態になるように、これら帯体５Ａ、５Ｂを雌雄のファスナー６ａ、６ｂを介して結合し環状態とする。
【００２３】
指導者が練習者と互いに向かい合った状態となる。このさい、指導者から練習者までの距離は野球やソフトボールにおけるピッチャーから打者までの距離よりも小さくされる。こうすることにより、指導者は熟練を要することなく、練習者に対し思い通りの角度、高さ及び速さのボールを投げることができる。また練習者は、野球やソフトボールにおけるバッターボックスに見立てた位置に位置する。
【００２４】
指導者は練習者へ向けてボールをトスする程度に或いはそれよりも少し速い状態で繰り返し投げる。このさい指導者はボールを投げ離すときの角度や位置や速さを変化させることにより、ボールが種々の速さで任意に想定した軌跡を辿るようにコントロールする。こうすることにより、練習者にとってボールがカーブ、シンカー、シュートなど種々の球種に相当する球筋となって飛来する状態が得られる。一方、練習者は、指導者の動作に対応して、図３に示すように、腰を低め、左右の手の位置関係で棒部材１を略水平状に保持し、それを自身の前側へ張り出させるようにする姿勢（バント擬似姿勢）をとる。そして指導者の投げたボールが自分の前に飛来したとき、このボールを図４に示すように手袋２の掌被い部２ｄ及び指被い部２ａで掴み捕らえるようにするバント擬似行為を行う。
【００２５】
練習者の手首は、帯体５Ａ、５Ｂにより棒部材１に固定されているので、バント練習用具Ｔと練習者の腕の位置関係は固定されている。従って、飛来したボールに対する高さ調整は、専ら膝の上下動により対応する姿勢を採ることになる。
【００２６】
手袋２でボールを掴み捕らえる位置はバントにおいてボールがバットに当たる位置にほぼ合致するのであり、したがってバント擬似行為を繰り返すことにより、練習者はバント時のバットに対するボールの位置を正確に認識することができるようになる。また手袋２は殆ど手指の動きを拘束せず、しかも素手に近い感覚が得られるように使用できるものであるから、飛来するボールに対し真正面に位置されているときは、練習者はその掌被い部２ｄや指被い部２ａを介してボールを的確に掴むことができて、そのように掴めた感覚が得られるのであり、逆にボールに対し不正確に位置されているときは不確実にしか掴むことができなくて、不確実にしか掴めなかった感覚が得られ、軍手の位置である右手の位置が不正確であったことが認識される。こうして練習者は飛来するボールの位置の認識の不正確性を是正するための情報が得られ、この情報に基づいて不正確性を修正する練習を繰り返すことができる。これにより、ボールの位置の認識の正確性を効率的に向上させることができる。
【００２７】
また手袋２でボールを掴むことは、飛来するボールに対し練習者の上半身が必要な位置まで接近することを余儀なくされるため、ボールの軌跡に対し腰が引けるような練習者の癖は強制的に是正されるのであり、練習者はバント模擬行為を繰り返すことにより正しいバント姿勢に効率的に身につけることができる。
【００２８】
なお、上記使用例では手袋２として右手の軍手が採用された場合について説明したが、右手の手袋２に代えて、左手の軍手が採用された場合には、軍手に左手を挿入し、右手で棒部材１の基端部１ａを握持するようにし、指導者の投げたボールは左手の動きで掴み捕らえるようにする。その他の点は既述したところと変わりない。
【符号の説明】
【００２９】
Ｔ  バント練習用具
１  棒部材
１ｂ  先端部
１ｃ  基端部
２  手袋
２ａ  指被い部
２ｄ  掌被い部
【図１】
0003157421.tif 000003
【図２】
0003157421.tif 000004
【図３】
0003157421.tif 000005
【図４】
0003157421.tif 000006